(57)【要約】【課題】  特別な接続用部材を用いずに排水ホースを確実に接続することができる排水用接続部材を提供する。【解決手段】  一端に受口部１３を、他端に差口部１４を有し、受口部の外周にホースバンド１６を装着した排水用接続部材１１であって、受口部の外面に複数の係合ピン１７，１８を突設し、ホースバンドは、帯状板の両端が対向する円環部２１を有し、円環部の一端外面にパッチン錠２２の錠レバー２３を、他端外面に錠フック２４をそれぞれ装着するとともに、複数の係合ピンに対応した位置に周方向のスリット２５，２６をそれぞれ設け、この複数のスリットに前記複数の係合ピンをそれぞれ挿入して係合させた状態でホースバンドを受口部の外周に装着する。【選択図】  図１
2005350963.tif 000002
【特許請求の範囲】
【請求項１】
一端に排水ホースの端部を挿入する受口部を、他端に排水トラップに接続するための差口部を有するとともに、前記受口部の外周に排水ホース抜止用のホースバンドを装着した排水用接続部材において、前記受口部は、その外面に法線方向に突出する複数の係合ピンを有し、前記ホースバンドは、帯状板の両端が対向する円環状に形成された円環部を有し、該円環部の一端外面にパッチン錠の錠レバーを、円環部の他端外面に前記パッチン錠の錠フックをそれぞれ装着するとともに、前記複数の係合ピンに対応した位置に周方向のスリットをそれぞれ設け、該複数のスリットに前記複数の係合ピンをそれぞれ挿入して係合させた状態で前記ホースバンドを前記受口部の外周に装着したことを特徴とする排水用接続部材。
【請求項２】
前記複数の係合ピンの少なくとも一つは、受口部外面から突出する軸部と、該軸部の突出端に設けられた軸部より大きな形状の抜止部とを有し、該係合ピンが係合する前記スリットには、その長手方向の一部に前記抜止部を挿通可能な切欠部を有していることを特徴とする請求項１記載の排水用接続部材。
【発明の詳細な説明】
【技術分野】
【０００１】
本発明は、排水用接続部材に関し、詳しくは、洗濯機の排水ホースを排水トラップに接続する際に用いるのに適した排水用接続部材に関する。
【背景技術】
【０００２】
洗濯機の排水ホースを洗濯パン（洗濯機パン）に設けられた排水トラップに接続する際には、一般的に、排水トラップに接続されたエルボの受口に排水ホースの端部を挿入し、受口の外周をホースバンドで締め付けることにより、受口から排水ホースが抜けるのを防止するようにしている。また、排水ホースと排水トラップとの接続をワンタッチで行えるようにした接続構造も各種提案されている（例えば、特許文献１参照。）。
【特許文献１】特開２００４−７６２６２号公報
【発明の開示】
【発明が解決しようとする課題】
【０００３】
しかし、受口の外周をホースバンドで締め付けるものでは、ホースバンドの締付位置がずれると排水ホースが抜けやすくなるという問題があり、また、ホースバンドが紛失することもあった。一方、排水ホースと排水トラップとをワンタッチで接続するものは、あらかじめ排水ホースと排水トラップとに接続用の特別な接続用部材をそれぞれ装着しなければならず、コストアップになるだけでなく手間がかかるという問題があり、部材の装着が不完全だと排水ホースが抜けたり、水漏れを起こしたりすることがある。
【０００４】
そこで本発明は、特別な接続用部材を用いずに排水ホースを確実に接続することができる排水用接続部材を提供することを目的としている。
【課題を解決するための手段】
【０００５】
上記目的を達成するため、本発明の排水用接続部材は、一端に排水ホースの端部を挿入する受口部を、他端に排水トラップに接続するための差口部を有するとともに、前記受口部の外周に排水ホース抜止用のホースバンドを装着した排水用接続部材において、前記受口部は、その外面に法線方向に突出する複数の係合ピンを有し、前記ホースバンドは、帯状板の両端が対向する円環状に形成された円環部を有し、該円環部の一端外面にパッチン錠の錠レバーを、円環部の他端外面に前記パッチン錠の錠フックをそれぞれ装着するとともに、前記複数の係合ピンに対応した位置に周方向のスリットをそれぞれ設け、該複数のスリットに前記複数の係合ピンをそれぞれ挿入して係合させた状態で前記ホースバンドを受口部の外周に装着したことを特徴としている。
【０００６】
さらに、前記複数の係合ピンの少なくとも一つは、受口部外面から突出する軸部と、該軸部の突出端に設けられた軸部より大きな形状の抜止部とを有し、該係合ピンが係合する前記スリットには、その長手方向の一部に前記抜止部を挿通可能な切欠部を有していることを特徴としている。
【発明の効果】
【０００７】
本発明の排水用接続部材によれば、ホースバンドの位置がスリットと係合ピンとによって規制されるので、ホースバンドを受口部外周の所定位置で締め付けることができ、排水ホースの抜けを防止できる。また、係合ピンに抜止部を、スリットに切欠部をそれぞれ設け、スリットの切欠部に抜止部を通してスリットと係合ピンとを係合させることにより、受口部からホースバンドが不用意に脱落することもなくなる。
【発明を実施するための最良の形態】
【０００８】
図は本発明の排水用接続部材の一形態例を示すもので、図１は排水ホースを接続した状態を示す正面図、図２は同じく平面図、図３は締付状態のホースバンドを示す断面図、図４は緩め状態のホースバンドを示す断面図である。
【０００９】
この排水用接続部材１１は、一端に排水ホース１２の端部を挿入する受口部１３を、他端に排水トラップに接続するための差口部１４を有するエルボ１５と、受口部１３の外周に装着した排水ホース抜止用のホースバンド１６とで形成されている。受口部１３の外面には、法線方向に突出する係合ピン１７，１８が９０度間隔で、受口部１３の開口側と基部側との各４箇所にそれぞれ突設している。一方の係合ピン１７は、受口部外面から突出する円柱形の軸部１７ａと、該軸部１７ａの突出端に設けられた抜止部１７ｂとを有しており、抜止部１７ｂは、軸部１７ａより大きな直径を有する円盤状に形成されている。他方の係合ピン１８は、前記軸部１７ａと同形状の円柱形となっている。
【００１０】
前記ホースバンド１６は、帯状板の両端が対向する円環状に形成された円環部２１を有しており、この円環部２１の一端外面には、締め付け機能を有するパッチン錠２２の錠レバー２３が、円環部２１の他端外面には前記パッチン錠２２の錠フック２４がそれぞれ装着されている。円環部２１の直径は、パッチン錠２２を施錠したときに受口部１３をある程度締め付けることができる大きさに設定されている。
【００１１】
さらに、円環部２１には、前記８箇所の係合ピン１７，１８に対応した位置の８箇所にスリット２５，２６がそれぞれ設けられている。一方のスリット２６は、係合ピン１８の直径より僅かに大きな開口幅で、周方向に同一幅で開口しており、係合ピン１７に対応する他方のスリット２５は、係合ピン１７の軸部１７ａの直径より大きく、抜止部１７ｂの直径より小さな開口幅を有するスリット部２５ａと、該スリット部２５ａの中間部で、受口部１３の基部側に位置するスリット側壁を一部切り欠いて前記抜止部１７ｂを挿通可能な大きさとした切欠部２５ｂとを有している。なお、受口部１３の基部側に設けられたスリット２５では、切欠部２５ｂが円環部２１の側縁に開口している。
【００１２】
このホースバンド１６を受口部１３の外周に装着するときには、スリット２５の切欠部２５ｂに係合ピン１７の抜止部１７ｂを挿通させた後、スリット２５のスリット部２５ａに係合ピン１７の軸部１７ａが挿通した状態になるように、ホースバンド１６を受口部１３の基部側に僅かに移動させるとともに、スリット２６に係合ピン１８を挿通させた状態とする。これにより、スリット２５のスリット部２５ａに係合ピン１７の軸部１７ａが、スリット２６に係合ピン１８が、それぞれ挿入されて係合した状態となるので、ホースバンド１６は、受口部１３に対して周方向にはある程度自由に回転できるが、軸方向の移動は規制された状態で受口部１３の外周に装着されることになる。
【００１３】
エルボ１５への排水ホース１２の接続は、図４に示すように、パッチン錠２２を解錠してホースバンド１６を緩めた状態で、排水ホース１２の端部を受口部１３内に挿入し、錠レバー２３を錠フック２４側に起こした状態で錠レバー２３に設けられている係止部２３ａを錠フック２４に係止させた後、図３に示すように、錠レバー２３を円環部２１の外周面に沿う施錠位置まで、デッドポイントを超えて回動させて施錠することによって行われる。
【００１４】
ホースバンド１６は、係合ピン１７，１８とスリット２５，２６との係合により、受口部１３の締め付けに最適な位置に保持されているので、排水ホース１２を挿入した受口部１３を所定位置で確実に締め付けることができ、受口部１３からの排水ホース１２の抜けを防止することができる。
【００１５】
また、パッチン錠２２を解錠してホースバンド１６を緩めたときでも、抜止部１７ｂがスリット２５の切欠部２５ｂを通過しない限り受口部１３からホースバンド１６が外れることはない。しかも、スリット２６と係合ピン１８との係合により、ホースバンド１６の受口部１３の開口側への移動が規制されているので、通常の使用状態では抜止部１７ｂと切欠部２５ｂとが合致することはなく、受口部１３からホースバンド１６が不用意に脱落することはない。
【００１６】
なお、パッチン錠２２における係止部２３ａと錠フック２４とを常時係止状態とし、ホースバンド１６の緩み量を規制するように形成したときには、抜止部１７ｂを設けずに係合ピン１７，１８の長さを適当に設定することによってホースバンド１６の脱落を防止することができる。また、排水ホース１２や排水トラップの構造は任意であり、従来と同様のものをそのまま使用できるので、これらの詳細な図示及び説明は省略する。
【図面の簡単な説明】
【００１７】
【図１】排水用接続部材に排水ホースを接続した状態を示す正面図である。
【図２】同じく平面図である。
【図３】締付状態のホースバンドを示す断面図である。
【図４】緩め状態のホースバンドを示す断面図である。
【符号の説明】
【００１８】
１１…排水用接続部材、１２…排水ホース、１３…受口部、１４…差口部、１５…エルボ、１６…ホースバンド、１７，１８…係合ピン、１７ａ…軸部、１７ｂ…抜止部、２１…円環部、２２…パッチン錠、２３…錠レバー、２３ａ…係止部、２４…錠フック、２５，２６…スリット、２５ａ…スリット部、２５ｂ…切欠部
【図１】
2005350963.tif 000003
【図２】
2005350963.tif 000004
【図３】
2005350963.tif 000005
【図４】
2005350963.tif 000006